(57)【特許請求の範囲】
【請求項１】
剥離紙上に、裏面に塗布された粘着剤を介して前記剥離紙に剥離可能に貼り合わされた貼付票と、この貼付票に切り取りミシン目からなる切り取り部を介して分離可能に連接され、かつ、貼付票へ連接する辺部に対して反対側に位置する辺部が前記剥離紙に分離可能に綴じ合わされている取扱店控票とが配置され、
前記貼付票の上に、該貼付票の前記切り取り部に対して反対側の辺部に分離可能にして綴じ合わされている配達票が重ね合わされているとともに、前記取扱店控票の上に、前記配達票に切り取りミシン目からなる切り取り部を介して分離可能に連接されて取扱店控票の剥離紙に対する綴じ合わせ部分に分離可能にして綴じ合わされている客控票が重ね合わされ、
前記配達票と客控票と貼付票と取扱店控票との四票は感熱紙からなり、配達票に加熱印字された情報が下位の貼付票に同時複写可能に設けられているとともに、客控票に加熱印字された情報が下位の取扱店控票に同時複写可能に設けられていることを特徴とする配送伝票。
【請求項２】
剥離紙上に、裏面に塗布された粘着剤を介して前記剥離紙に剥離可能に貼り合わされた貼付票と、この貼付票に切り取りミシン目からなる切り取り部を介して分離可能に連接され、かつ、貼付票へ連接する辺部に対して反対側に位置する辺部が前記剥離紙に分離可能に綴じ合わされている取扱店控票とが配置され、
前記貼付票の上に、該貼付票の前記切り取り部に対して反対側の辺部に分離可能にして綴じ合わされている配達票が重ね合わされているとともに、前記取扱店控票の上に、前記配達票に切り取りミシン目からなる切り取り部を介して分離可能に連接されて取扱店控票の剥離紙に対する綴じ合わせ部分に分離可能にして綴じ合わされている客控票が重ね合わされ、
前記配達票と客控票と貼付票と取扱店控票との四票は感圧紙からなり、配達票にインパクト印字された情報が下位の貼付票に同時複写可能に設けられているとともに、客控票にインパクト印字された情報が下位の取扱店控票に同時複写可能に設けられていることを特徴とする配送伝票。
【発明の詳細な説明】
【０００１】
【発明の属する技術分野】
本発明は配送伝票、特にハンディーターミナルなどの携帯型の入出力装置により情報記載を行なうために用いられる配送伝票に関するものである。
【０００２】
【発明が解決しようとする課題】
従来の配送伝票においては、配送物に貼着する貼付票、配送の依頼受付口などとなる業務を行なう取扱店控票、配送業務を行なう配送者用の配達票、そして、配送依頼主側の控となる客控票などの複数枚の帳票が上下に重ね合わされて一辺側で分離可能に綴じ合わされており、各帳票に配送情報を記載するための配送情報記載部が設けられているとともに、最上位に位置する帳票に記載した配送情報がその下位に位置する帳票それぞれに同時複写されるようにする複写構成を備えたものとし、この配送伝票をインパクトプリンタに装填して配送情報の出力印字が行われるようにしていた。また、昨今においては印字処理効率などの点において優れている電子写真方式のプリンタが普及していたことから、この電子写真方式のプリンタを用いて配送情報が記載できる配送伝票となるように、この配送伝票を構成している複数枚の帳票を上下に重ね合わせるのではなく一シートを切り取りミシン目などにより区画して複数枚の帳票を平面に並べ設けるようにした一パーツ構造のものが提案されるようになってきている。
【０００３】
しかしながら、手持ち状態で情報の印字が行なえる機能を有するハンディーターミナルなどの携帯型入出力装置においては、その携帯型入出力装置に装備されているプリンタが小型のものとなっていることから、幅広となる上記一パーツ構造の電子写真方式に対応した配送伝票に情報印字が行なえないという不都合が生じている。また、従来の複数枚の帳票全てを上下に重ね合わせた配送伝票では厚みが大きくなってしまい、ハンディーターミナルに組み入れられているプリンタの能力からでは下位に位置する帳票に対して適正に情報を複写させることができないという不都合がある。
そこで本発明はハンディーターミナルなどに設けられているプリンタにて配送伝票に情報印字した際にその配送情報の複写が得られるようにすることを課題とし、ハンディーターミナルなどの携帯型の情報入出力装置にて配送伝票に情報出力が行なえるようにすることを目的とする。
【０００４】
【課題を解決するための手段】
本発明は上記課題を考慮してなされたもので、剥離紙上に、裏面に塗布された粘着剤を介して前記剥離紙に剥離可能に貼り合わされた貼付票と、この貼付票に切り取りミシン目からなる切り取り部を介して分離可能に連接され、かつ、貼付票へ連接する辺部に対して反対側に位置する辺部が前記剥離紙に分離可能に綴じ合わされている取扱店控票とが配置され、前記貼付票の上に、該貼付票の前記切り取り部に対して反対側の辺部に分離可能にして綴じ合わされている配達票が重ね合わされているとともに、前記取扱店控票の上に、前記配達票に切り取りミシン目からなる切り取り部を介して分離可能に連接されて取扱店控票の剥離紙に対する綴じ合わせ部分に分離可能にして綴じ合わされている客控票が重ね合わされ、前記配達票と客控票と貼付票と取扱店控票との四票は感熱紙からなり、配達票に加熱印字された情報が下位の貼付票に同時複写可能に設けられているとともに、客控票に加熱印字された情報が下位の取扱店控票に同時複写可能に設けられていることを特徴とする配送伝票を提供して、上記課題を解消するものである。
また、もう一つの発明は、剥離紙上に、裏面に塗布された粘着剤を介して前記剥離紙に剥離可能に貼り合わされた貼付票と、この貼付票に切り取りミシン目からなる切り取り部を介して分離可能に連接され、かつ、貼付票へ連接する辺部に対して反対側に位置する辺部が前記剥離紙に分離可能に綴じ合わされている取扱店控票とが配置され、前記貼付票の上に、該貼付票の前記切り取り部に対して反対側の辺部に分離可能にして綴じ合わされている配達票が重ね合わされているとともに、前記取扱店控票の上に、前記配達票に切り取りミシン目からなる切り取り部を介して分離可能に連接されて取扱店控票の剥離紙に対する綴じ合わせ部分に分離可能にして綴じ合わされている客控票が重ね合わされ、前記配達票と客控票と貼付票と取扱店控票との四票は感圧紙からなり、配達票にインパクト印字された情報が下位の貼付票に同時複写可能に設けられているとともに、客控票にインパクト印字された情報が下位の取扱店控票に同時複写可能に設けられていることを特徴とする配送伝票であり、この配送伝票を提供して上記課題を解消するものである。
【０００５】
【発明の実施の形態】
つぎに本発明を図１と図２に示す実施の形態に基づいて詳細に説明する。
図１は本発明に係る配送伝票１を示すもので、一単位の配送伝票１が複数単位にして帯状にして連接された状態が図示されている。この配送伝票１は下位の剥離紙２の上に貼付票３と取扱店控票４とが並設された状態にして配置され、その貼付票３の上に配達票５が重ね合わされているとともに、前記取扱店控票４の上に客控票６が重ね合わされていて、配達票５と客控票６が並設された状態にして配置されており、配達票５と貼付票３とにあっては上下に重なる位置に配送物に関する受取人住所氏名や依頼主住所氏名などの配送情報を記載する配送情報記載部７が設けられ、同様にして客控票６とその下位の取扱店控票４に上下に重なる位置にして配送情報記載部７が設けられている。また、前記配達票５においては配送物の受取人からの受領確認を行なう役割も有するものであり、受領確認印などを受ける確認部８が設けられている。
複数単位の配送伝票１が連接されている形態において剥離紙２それぞれは切り取りミシン目９を介して分離可能に連接されている。そして、一単位における剥離紙２に対してその剥離紙２の周辺を表出させるようにして上記貼付票３と取扱店控票４とが配置されていて、図２に示すように、前記貼付票３にあってはその裏面に粘着剤１０が塗布されて剥離紙２に対して剥離可能に貼り合わされ、さらに取扱店控票４はこの貼付票３に切り取りミシン目からなる切り取り部１１を介して分離可能に連接されているとともに、貼付票３へ連接する辺部４ａに対して反対側に位置する辺部４ｂが粘着剤１０を介して前記剥離紙２に分離可能に綴じ合わされている。なお、この取扱店控票４においては辺部４ｂに沿っても切り取りミシン目からなる切り取り部１１を備えており、剥離紙２に対する綴じ合わせ部１２となった前記辺部４ｂから取扱店控票４を分離できるように設けられている。
【０００６】
上述したように貼付票３に重ね合わされる配達票５は図２に示すように、貼付票３の切り取り部１１側とは反対側の辺部３ａに接着剤１３を介して綴じ合わされ、この綴じ合わせ部１４に沿って入れられた切り取りミシン目からなる切り取り部１１を介して貼付票３から分離可能となるように設けられている。客控票６にあっては前記配達票５に、貼付票３と取扱店控票４との間の切り取り部１１に重なる位置にある切り取り部１１を介して分離可能に連接されているとともに、その切り取り部１１とは反対側の辺部６ａが下位の取扱店控票４の綴じ合わせ部１２に接着剤１３を介して綴じ合わされ、その綴じ合わせ部１５に沿って入れられた切り取り部１１によって取扱店控票４に対しても分離可能としている。
上記貼付票３とこれに重ねられている配達票５、そして取扱店控票４とこれに重ねられている客控票６との四票は感熱紙から構成されているものであって、特に上位となる配達票５と客控票６とは薄手の感熱紙から構成されているものであり、それぞれ上位となる前記配達票５と客控票６との配送情報記載部７に加熱印字を行なうことで配送情報を出力すると下位に位置している貼付票３と取扱店控票４との配送情報記載部７にも配送情報が同時に複写されるように設けられているものである。
【０００７】
このようにして配送情報が出力された配送伝票１においては、客控票６が切り取られて依頼主に控として渡されるとともに、配達票５が切り取られて配送者側が所持管理し、さらに取扱店控票４も取り外されてその依頼を受けた取扱店が所持管理することとなり、貼付票３にあっては剥離してこれを配送物に貼付すればよい。また、配送伝票１を複数単位としたものにあっては上記四票を所持する剥離紙２が連接された状態であることから、連続的にハンディーターミナルなどのプリンタに供給できるようになる。さらに、図示されているように複数単位の配送伝票１を貼付票３と取扱店控票４との連接方向に沿った方向に連接するようにしているため、切り取りミシン目９で折り返すような折り畳みを行なった場合でも粘着剤の厚み分だけ厚い貼付票の重ね合わせ位置が偏ることなく配送伝票１が重ね合わされるようになり、複数単位の折り重ね合わせした状態が安定するようになる。
【０００８】
上記実施の例において配送伝票１における貼付票３と取扱店控票４と配達票５と客控票６とをそれぞれ感熱紙として構成したものが示されているが、本発明はこれに限定されるものではなく、前記四票を感圧紙から構成してインパクトプリンタにて配達票５と客控票６との配送情報記載部７にインパクト印字した配送情報が下位の貼付票３と取扱店控票４の配送情報記載部７に同時複写される構成としてもよい。
【０００９】
【発明の効果】
以上説明したように、本発明の配送伝票によれば、剥離紙上に、裏面に塗布された粘着剤を介して前記剥離紙に剥離可能に貼り合わされた貼付票と、この貼付票に切り取りミシン目からなる切り取り部を介して分離可能に連接され、かつ、貼付票へ連接する辺部に対して反対側に位置する辺部が前記剥離紙に分離可能に綴じ合わされている取扱店控票とが配置され、前記貼付票の上に、該貼付票の前記切り取り部に対して反対側の辺部に分離可能にして綴じ合わされている配達票が重ね合わされているとともに、前記配達票に切り取りミシン目からなる切り取り部を介して分離可能に連接されて前記取扱店控票の上に該取扱店控票の剥離紙に対する綴じ合わせ部分に分離可能にして綴じ合わされている客控票が重ね合わされ、前記配達票と客控票と貼付票と取扱店控票との四票は感熱紙からなり、配達票に加熱印字された情報が下位の貼付票に同時複写可能に設けられているとともに、客控票に加熱印字された情報が下位の取扱店控票に同時複写可能に設けられていることを特徴とするものであり、また、配達票と客控票と貼付票と取扱店控票との四票は感圧紙からなり、配達票にインパクト印字された情報が下位の貼付票に同時複写可能に設けられているとともに、客控票にインパクト印字された情報が下位の取扱店控票に同時複写可能に設けられていることを特徴とするものであることから、上位の配達票と客控票側から配送情報を加熱印字やインパクト印字することで下位の貼付票と取扱店控票とに配送情報が同時複写できるようになり、ハンディーターミナルなどのような携帯型入出力装置に組み入れられたプリンタを用いながらも帳票を重ね合わせした配送伝票の発行が行なえるようになるなど、実用性に優れた効果を奏するものである。
【図面の簡単な説明】
【図１】  本発明に係る配送伝票の一例を示す説明図である。
【図２】  一例を断面で示す説明図である。
【符号の説明】
１…配送伝票
２…剥離紙
３…貼付票
４…取扱店控票
５…配達票
６…客控票
７…配送情報記載部
１０…粘着剤
１１…切り取り部
１２、１４、１５…綴じ合わせ部
【図１】
0003794009.tif 000002
【図２】
0003794009.tif 000003